(57)【特許請求の範囲】
【請求項１】
位置固定装置を備えた電気的なコネクタ装置であって、第１のケーシング（１４）を有した第１の差し込み接続装置（１２）と、第２のケーシング（１６）を備えた第２の差し込み接続装置（１３）とを有しており、これらの差し込み接続装置（１２，１３）は、可逆的にコネクタ装置（１１）を閉鎖するために互いに軸方向に延びる差込方向で連結可能であって、位置固定装置が、コネクタ装置（１１）を閉鎖位置に解離可能な形式で固定するようになっている形式のものにおいて、
コネクタ装置（１１）が、両差し込み接続装置（１２，１３）が互いに連結解除されている開放位置と、第１の差し込み接続装置（１２）が第２の差し込み接続装置（１３）に部分的に差し込まれている連結位置と、第１の差し込み接続装置（１２）が第２の差し込み接続装置（１３）に完全に差し込まれている閉鎖位置と、閉鎖位置をロックするロック位置とを有しており、
第１の差し込み接続装置（１２）が、上方部分（１７）と下方部分（１８）とを備えており、下方部分（１８）は、前記差込方向に対して横方向に、所定の摺動距離分だけばね弾性的に変位可能であり、下方部分（１８）は、対応ガイド（２７）と、当接部（３３）と、当接部（３３）の下方に位置する切欠（４６）とを有しており、当接部（３３）は、前記軸方向に対して傾斜する当接傾斜部（３９）と、係止突起（２９）に前記軸方向に作用する対応面（３２）と、係止突起（２９）に前記横方向に作用する連行面（４２）とを有しており、
第２の差し込み接続装置（１３）は、突起（３８）を有しており、
位置固定装置が、前記軸方向に摺動可能に第１の差し込み接続装置（１２）に支承された制御スライダ（２３）を有しており、制御スライダ（２３）は、ガイド部材（２４）と係止部材（２６）とを備えており、ガイド部材（２４）は、前記軸方向に延びていて、かつ対応ガイド（２７）内において制御スライダ（２３）を前記軸方向に移動可能にし、係止部材（２６）は、係止突起（２９）と、先端に係止突起（２９）を有する、軸方向に延びていて係止突起（２９）を前記横方向に変位可能にするばね弾性的な係止アーム（２８）とを備えており、係止突起（２９）は、前記開放位置および前記連結位置において当接部（３３）上に前記軸方向に載置される係止面（３１）と、前記閉鎖位置において突起（３８）の側面（４４）に当接する先端部（４３）とを有しており、
連結位置において当接部（３３）の当接傾斜部（３９）が、突起（３８）に当接して、下方部分（１８）が前記横方向に変位し、前記開放位置からの第１の差し込み接続装置（１２）の前記軸方向の移動により、当接部（３３）の連行面（４２）が係止突起（２９）を前記横方向に変位させ、前記連結位置からの第１の差し込み接続装置（１２）の前記軸方向の移動により、当接部（３３）が突起（３８）の側面（４４）に沿って摺動して、前記閉鎖位置において当接部（３３）が突起（３８）の下方に位置し、前記変位した下方部分（１８）が戻され、前記閉鎖位置からの制御スライダ（２３）の軸方向の移動により、下方部分（１８）の切欠（４６）に、前記ロック位置をとるために係止突起（２９）がスナップインされるようになっていることを特徴とする、位置固定装置を備えた電気的なコネクタ装置。
【請求項２】
係止突起（２９）はコネクタ装置（１１）の開放位置および連結位置で、係止面（３１）で、第１のケーシング（１４）の当接部（３３）に設けられた対応面（３２）上に載置され、制御スライダ（２３）の軸方向の運動が遮断される、請求項１記載のコネクタ装置。
【請求項３】
上方および下方の両部分（１７，１８）は接続部材（１９）を介して互いに結合されている、請求項１記載のコネクタ装置。
【請求項４】
制御スライダ（２３）が上方部分（１７）に支承されている、請求項１記載のコネクタ装置。
【請求項５】
当接傾斜部（３９）に、コネクタ装置（１１）の連結位置に到るように差し込み接続装置（１２，１３）が結合される際に、第２の差し込み接続装置（１３）の突起（３８）が乗り上げ、下方部分（１８）が上方部分（１７）に対して所定の移動距離分だけ、差込方向に対して横方向に変位される、請求項４記載のコネクタ装置。
【請求項６】
コネクタ装置（１１）の閉鎖位置に到るように差し込み接続装置（１２，１３）が結合される際に、当接部（３３）の対応面（３２）が、コネクタ装置（１１）の閉鎖位置を固定するために突起（３８）に下方から係合し、下方部分（１８）が上方部分（１７）に対して所定の移動距離分だけばね弾性的に戻され、対応面（３２）が係止面（３１）から離間して位置している、請求項５記載のコネクタ装置。
【請求項７】
コネクタ装置（１１）の閉鎖位置で制御スライダ（２３）が軸方向で摺動可能であって、制御スライダ（２３）がロック位置をとるために、下方部分（１８）の方向で軸方向に摺動する際に、ガイド部材（２４）と対応ガイド（２７）との間の形状接続が形成され、この形状接続により制御スライダ（２３）が前記軸方向に摺動可能となり、コネクタ装置（１１）の閉鎖位置がロックされる、請求項６記載のコネクタ装置。
【発明の詳細な説明】
【０００１】
背景技術
本発明は、請求項１の上位概念に記載の形式の、位置固定装置を備えた電気的なコネクタ装置から出発している。ドイツ連邦共和国特許第４２０２８４６号明細書により公知の電気的なコネクタ装置は、コネクタと、これに連結可能な対応コネクタとから成っており、結合されたコネクタ装置を解離可能に固定する位置固定装置が設けられている。
【０００２】
この位置固定装置は、コネクタケーシングに設けられた環状の溝と、この溝に寸法的に適合された、対応コネクタケーシングに設けられたバリとから成っており、対応するコンタクト部を支持しているこれらのケーシングを差し込んで結合する際に、溝とバリとの間に内側に位置する機械的な係止結合部が形成され、対応するコンタクトの電気的な接続が行われる。
【０００３】
このような位置固定の原則に基づいて、不都合な製造誤差が生じた際に、電気的なコンタクトは既に完全に行われているが、外側からは検知できない内側に位置する位置固定装置がまだ正確に係止されていないということは殆ど生じない。このような不完全な位置固定のコネクタ装置が自動車において、電気的なチェックの際に正常なものと評価されると、自動車の運転の際に、揺動運動の影響かでコネクタ装置が破損される恐れがある。
【０００４】
従ってこのような形式の位置固定装置では、コネクタ装置の運転安全性は保証されていない。
【０００５】
発明の効果
これに対し請求項１に記載の特徴を有する本発明による位置固定装置を備えたコネクタ装置は、上記の欠点を回避するという利点を有している。
【０００６】
さらにコネクタ装置に、外側に位置するように取り付けられた制御スライダが設けられており、この制御スライダは、コネクタ装置が機械的に完全に結合されて閉鎖位置に移行してから初めて、マーキングに対して第１の位置を占めるロック解除位置から、マーキングに対して第２の位置を占めるロック位置へと移行される。
【０００７】
これにより制御スライダのこの位置からマーキングと比較して、コネクタ装置が完全に、閉鎖位置に移行されているかどうかが検知可能である。この閉鎖位置は、ロック解除位置に移行される制御スライダによって付加的に保証されている。
【０００８】
従って実際に良好に制御可能で確実に稼働されるコネクタ装置が形成される。
【０００９】
請求項２以下に本願発明の有利な構成が記載されている。
【００１０】
次に図面につき本発明の実施例を詳しく説明する。
【００１１】
電気的なコネクタ装置１１は第１の差し込み接続装置１２と第２の差し込み接続装置１３とから成っている。これらの差し込み接続装置１２，１３は図１ではコネクタ装置１１の開放位置で互いに連結解除された状態で示されている。
【００１２】
第１の差し込み接続装置１２、例えばワイヤハーネスコネクタは第１のケーシング１４を有しており、第２の差し込み接続装置１３、例えば制御装置に設けられたマルチプルプラグ(Messerleiste)は第２のケーシング１６を有している。ケーシング１４，１６は公知の方法（図示せず）で、互いに対応する電気的なコンタクトエレメントを支持している。
【００１３】
第１のケーシング１４は、図１で見て上方の部分１７と下方の部分１８とから成っている。両部分１７，１８は扁平な帯状の接続部材１９によってまとめられている。上方部分１７に設けられた第１のハンドリング面２０と、下方部分１８に設けられた反対側に位置する第２のハンドリング面２１とを介して、反対方向に向けられた圧力によって両部分１７，１８は、軸方向に向けられた矢印２２に対して横方向に、小さな摺動距離分だけばね弾性的に戻されて互いにずらされる。矢印２２は、コネクタ装置１１を閉鎖するための差込方向を示している。
【００１４】
上方部分１７には制御スライダ２３が支承されている。この制御スライダ２３の軸方向の摺動可能性は、コネクタ装置１１の連結状態に依存している。制御スライダ２３にはガイド部材２４と係止部材２６とが形成されている。
【００１５】
ガイド部材２４は、軸方向に向けられており鳩尾形ガイドを有したウエブによって形成されている。この鳩尾形ガイドはガイド部材が軸方向に移動する際に、軸方向で整合して下方の部分１８に配置された対応ガイド２７に形状接続的に連結可能である。
【００１６】
係止部材２６は図１においてほぼ軸方向に向けられた係止アーム２８を有しており、該係止アーム２８の自由端部には半径方向に向けられた係止突起２９が支持されている。この係止突起２９は、図１のようにコネクタ装置１１が連結解除された状態では、半径方向で作用する係止面３１で、下方部分１８に設けられた当接部３３の、同じ方向に向けられた対応面３２に載置されている。従ってこれにより制御スライダ２３の軸方向の摺動性が遮断される。
【００１７】
制御スライダ２３は前述の出発状態ではいわゆるロック解除位置にある。この位置では制御スライダ２３の端面側のカバー面３４が、第１のケーシング１４に取り付けられたマーキング３６に対して明らかに間隔をおいて、第１の位置に位置している。
【００１８】
対応係止面３２にはさらに小さな突起が設けられており、この突起により係止面３１の半径方向の滑動が付加的に防止される。
【００１９】
第２のケーシング１６は、第２の差し込み接続装置１３のコンタクトエレメントを取り囲むフランジ３７を有している。このフランジ３７には半径方向に突出する円形に形成された突起３８が形成されている。
【００２０】
図２にはコネクタ装置１１が連結位置で示されている。この連結位置では両差し込み接続装置１２，１３はほぼ半分差し込まれている。コネクタ装置１１の開放位置から連結位置へと、両差し込み接続装置１２，１３を押し合わせて結合させる際には、突起３８が当接部３３の当接傾斜部３９に当接し、図１に示したフランジ３７に設けられていて、このフランジを越えて軸方向で突出しているガイドウエブ４１は、上方部分１７のガイド（図示せず）に形状接続的に嵌合する。
【００２１】
両差し込み接続装置１２，１３を連結位置にまでさらに案内して結合させる際に、突起３８は当接部３３を押圧し、この当接部３３は下方部分１８を小さな摺動距離分だけ図２で見て左側に押圧する。これはフランジ３７は、上方部分１７で行われるガイドウエブ４１のガイドによって半径方向で変位することはできないからである。
【００２２】
両部分１７，１８のこのような側方のずれによりさらに、係止突起２９も当接部３３の連行面４２によって連行され、半径方向で上記摺動距離分だけずらされる。
【００２３】
さらに対応ガイド２７も、ガイド部材２４との軸方向の整合状態から、上記の摺動距離分だけ半径方向でずらされる。これにより制御スライダ２３の軸方向の移動は、コネクタ装置１１の連結位置においては、このような理由からも不可能であり、制御スライダ２３は引き続きロック位置で位置固定されている。
【００２４】
図３にはコネクタ装置１１が閉鎖位置で示されている。この閉鎖位置では両差し込み接続装置１２，１３は完全に差込結合されている。両差し込み接続装置１２，１３を連結位置から閉鎖位置へと案内して結合する際に、突起３８は完全に当接部３３を軸方向で通り過ぎる。これにより、上方部分１７に対して所定の摺動距離だけ半径方向で変位していた下方部分１８はばね弾性的に戻され、図１に示した静止位置に戻されてスナップインする。ひいては両差し込み接続装置１２，１３は所定のように両ケーシング１４，１６において、当接部３３が突起３８に後方から係止することにより互いにロックされる。
【００２５】
下方部分１８が静止位置に戻されてスナップインすることにより、対応ガイド２７は再びガイド部材２４に軸方向で整合する。これに対して制御スライダ２３の係止突起２９は摺動距離分だけ半径方向でずらされたままである。何故ならば係止突起２９の先端部４３が突起３８の側面４４に当接し、係止アーム２８が図１に示したような静止位置に戻しスナップインされることが妨げられているからである。
【００２６】
カバー面３４に作用する軸方向の力により制御スライダ２３は軸方向で移動される。この場合、前記先端部４３は側面４４に沿って滑動し、ガイド部材２４は対応ガイド２７内に到る。
【００２７】
制御スライダ２３の軸方向の移動は制御スライダ２３が、図４に示したロック位置に到達するとともに終了される。このようなロック位置では係止突起２９の先端部４３が側面４４を通過し、下方部分１８に設けられた形状が適合する切欠４６に、係止アーム２８がばね弾性的に戻されながらスナップインする。さらにカバー面３４は、マーキング３６と同一平面に位置する第２の位置をとるまで下降される。
【００２８】
これにより制御スライダ２３のロック位置は良好に検知することができ、コネクタ装置１１が閉鎖位置で付加的に制御スライダ２３によってロックされていることが外部から認識できる。
【００２９】
コネクタ装置１１を開放位置に戻し案内することにより、ロックスライダ２３は再び、外側の良好に検知可能なロック解除位置に戻るように移動される。何故ならばさもないと制御スライダ２３がロック位置にあると、上方部分１７に対する下方部分１８の所定の距離分の半径方向の変位は、ガイド部材２４が対応ガイド２７に形状接続していることにより妨げられるからである。しかし当接部３３と突起３８との形状接続を解除するためのこのようなロックの解除は、コネクタ装置１１が開放位置へ移行するために、両差し込み接続装置１２，１３をどのように軸方向で分離する必要があるかが前提となっている。
【図面の簡単な説明】
【図１】  コネクタ装置を開放位置で示した図である。
【図２】  コネクタ装置を連結位置で示した図である。
【図３】  コネクタ装置を閉鎖位置で示した図である。
【図４】  コネクタ装置をロックされた閉鎖位置で示した図である。
【図１】
0004416331.tif 000002
【図２】
0004416331.tif 000003
【図３】
0004416331.tif 000004
【図４】
0004416331.tif 000005